(57)【要約】      （修正有）【課題】従来のモップは、絞りづらかった。また絞り機能を付加した既発明のモップは先端が重くなり、作業がやりにくかった。また構造が複雑で製造コストが高く壊れやすかった。これはモップを絞るのに複雑な構造を要していたためである。【解決手段】モップの柄の先端にＴ字状になるように板を設ける。その板に、モップ払拭体の糸の束を植毛する。植毛されたモップ払拭体の糸の束の先端に、取っ手がついた板を取り付ける。更にモップの柄にＴ字状に取り付けた板と、モップ払拭体の糸の束の先端に取り付けた取っ手のついた板を、貼着自在とする手段を板に設ける。【選択図】図１
0003131383.tif 000002
【実用新案登録請求の範囲】
【請求項１】
モップの柄と、柄の先端にＴ字状になるように取り付けられた板と、前記板に植毛されたモップ払拭体の糸の束と、前記束の先端に取り付けられた板と、前記板に設けられた取っ手とを要し、かつ、前記モップ払拭体の糸の束が植毛された板と前記束の先端に取り付けられた板とを貼着自在とする貼り付け手段を要してなることを特徴とする絞り機能と洗浄機能を付加したモップ。
【考案の詳細な説明】
【考案の詳細な説明】
【技術分野】
【０００１】  この発明は、モップ絞り器を必要としない、手を汚さず手で絞れ手を汚さず手で洗えるモップ払拭体絞り機能とモップ払拭体洗浄機能を付加したモップに関するものである。
【背景技術】
【０００２】  これまでのモップは、モップとモップ絞り器とをセットで使用していた。【０００３】  従来のモップとは、柄の先端に無数のモップ糸を取り付けたものであり、従来のモップ絞り器とは公開特許公報２００３−５２６０４のような四角いバケツに二本のローラーとローラーを動かすペダルがついているものである。【０００４】  また、この従来のモップの使用方法を改良し、モップとモップ絞り器をセットで使用せずにモップの水分を絞り出す機能を付加したモップもあった。【０００５】  例えば、公開特許公報平１１−４２１９５がそうである。公開特許公報平１１−４２１９５に記載されたモップ払拭体を絞る機能を付加したモップの構造は次のようなものである。すなわちモップ払拭体に絞りロールをあらかじめ取り付けた構造であり、レバー操作により絞りロールをぬれたモップ払拭体にそって動かしてモップ払拭体の水分を取り除くものである。【０００６】  これらの従来の技術には９の欠点がある。絞り機能をつけていない従来のモップ及びモップ絞り器の第一の欠点は、よく絞れないという点である。モップ絞り器に水を入れその中にモップを入れて水につけ、モップ絞り器についたローラーでモップ払拭体を絞るわけだが、実際使用してみるとモップ払拭体の水分を十分に絞ることができず、そのまま床やタイルなどを拭くと床やタイルにすじ状の水が残ってしまう。このすじ状の水は汚れなども含んでいるため自然蒸発させるとすじ状に水が蒸発した跡がついてしまう。これでは何のためにモップで床などをふいたのか分からない。【０００７】  清掃のプロである清掃員などはその点を熟知しているので、汚れぬれたモップ払拭体を手でつかみ絞っているのが実情である。手がぬれて汚れるから極めて不衛生である。この極めて不衛生であるという点が第二の欠点である。【０００８】  第三の欠点は、モップ絞り器が必要となる点である。モップ絞り器を必要とするため余計なコストがかかり、モップ絞り器を置いておくスペースを確保しなければならない。これらのことはモップ使用者に過度の負担をしいている。【０００９】  第四の欠点は、モップ払拭体をよく洗うことができないという点である。従来のモップ払拭体をモップ絞り器に入れた水につけてゆすぐだけという動作で、モップ払拭体についた汚れがおちるわけがない。かといって手を使って洗うとしても、従来のモップ払拭体は無数の比較的短い糸で構成されているのでつかみづらい。つかみづらいから洗いづらい。洗いづらいから汚れがおちにくい。【００１０】  第五の欠点は床などの汚れを、よく吸着しないという点である。従来のモップ払拭体は、板状の構造体に無数の糸がたれさがっている構造であるため、汚れをひっかける能力が弱いのである。【００１１】  絞り機能をモップに付加した既発明のモップの第一の欠点はモップの先端が重くなるという点である。絞り機能を付加した既発明のモップの中にはモップの先端にモップ払拭体と一緒にローラーなどの絞り手段を取り付けたものがある。この場合、当然モップ先端が絞り機能を付加していないモップにくらべ重くなる。【００１２】  第二の欠点は構造が複雑で壊れやすくなる点である。【００１３】  第三の欠点はかさばるという点である。【００１４】  第四の欠点は製造コストがかかる点である。
【特許文献１】公開特許公報平１１−４２１９５号
【考案が解決しようとする課題】
【００１５】  従来のモップとモップ絞り器を使用する場合、モップ絞り器のローラーのモップ払拭体を絞る力が弱いからモップ払拭体をよく絞れない。よく絞れていないモップを使用すると床をみがくつもりが床を汚す結果となってしまう。また、床をみがくあるいはワックスをかけるといった作業には本来モップだけあればその使命を果たすことができるのであるからモップ絞り器は本来必要ない。モップ絞り器を使用しないでもモップをよく絞ることができるようにすることも本発明の課題である。
【００１６】  また、従来のモップ払拭体は中途半端な短さの糸を無数にたばねた構造であり手でつかみにくく洗いづらかった。更に従来のモップ払拭体は板に無数の糸を吊り下げているだけの構造であるため、汚れを引っかけるといった能力が弱い。
【００１７】  従来のモップを改良した従来の技術に記載した絞り機能を付加したモップは、モップの先端が重くなり作業効率がおちることとなるし、構造が複雑なので壊れやすくなり、かさばり、製造コストが従来のモップよりかかることとなっていた。
【００１８】  本発明が解決しようとする課題は手を汚さず手でよく絞れ、手を汚さず手で洗え、かつ、構造が簡便で壊れにくく製造コストをおさえることができ、なおかつ従来のモップより汚れを吸着しやすくした、絞り機能と洗浄機能とを付加したモップを提供する点にある。
【課題を解決するための手段】
【００１９】  請求項１に係る絞り機能と洗浄機能を付加したモップは、モップの柄とモップの柄の先端に板をモップの柄と板とをあわせてみるとＴ字状になるように取り付け、このモップの柄を取り付けた板にモップ払拭体を構成する糸の束を植毛する。板に植毛されたモップ払拭体を構成する糸の束の先端にはモップの柄に取り付けた板と同じような板を取り付ける。
【００２０】  先端に取り付ける板の形状や材質は、モップの柄に取り付ける板と同じでもよいし、そうでなくてもよい。モップ払拭体の先端に取り付けられた板には取っ手が取り付けられている。そしてモップ払拭体の糸の束の両端に取り付けられた板を貼り付ける手段を、片方の板あるいは両方の板に設ける。
【００２１】  この貼り付ける手段には、例えば片方の板にクリップ状の構造を取り付け、もう片方の板を前記クリップ状の構造にかみあわせる方法、あるいは両方の板にテープファスナー、磁石を設けてそれにより二枚の板を貼着する方法、あるいは片方の板に溝を設けてその溝にもう片方の板をはめ込む方法、あるいは片方の板または両方の板にフック状の構造体を設けてフックにひっかけるようにして二枚の板を貼着する方法、あるいは片方の板または両方の板にワイヤーを設けて、このワイヤーを締め上げること結び合わせることで二枚の板を貼着する方法などがある。
【００２２】  また板につけられる取っ手であるが、弓状のものを固着してもよいし、板をくりぬいて穴をつくりそれを取っ手としてもよい。あるいは弓状ではなく、Ｌ字状のレバーのような構造でもよいし、ドアのノブのような円筒状のものを板に固着する構造でもよい。
【００２３】  請求項１モップの基本構造を理解するのにはモップ払拭体から概観すると分かりやすい。すなわち、モップ払拭体の糸の束を方形に形成し、方形に形成した糸の束の両端に板を取り付け、この板の一方にモップの柄が取り付けられ、もう一方の板に取っ手が取り付けられており、この二枚の板をモップ払拭体を折り曲げながら前記した貼着手段により貼り付けるようした構造なのである。よってモップ使用時にはモップ払拭体の糸の束はループ状となり、従来のモップの払拭体部分とその構造を異にする。
【００２４】  本発明の技術概念を取り入れたモップの製造法を以下に記す。すなわち、モップ払拭体を従来のものより折り曲げられる程度に長くして、その先端に板を取り付ける。この板は従来のモップ払拭体を植毛していた木製の板あるいはプラスチック製の板と同じでよい。また、モップ払拭体を構成する糸の束も、長さは違うもののまったく同じ材質のものを転用すればよい。
【００２５】  モップ払拭体の先端に板をつけたら、その板に取っ手を設ける。そして、モップの柄についた板と、モップ払拭体の先端に取り付けた板を貼着する手段を片方の板あるは両方の板に取り付ければよい。また本発明に使用する材質も従来のモップを構成していたものと同じでよい。特別変わったものを使うことはない。
【考案を実施するための最良の形態】
【００２６】  本発明の実施の形態を図２から図５に基づいて説明する。図２から図５は斜視図である。【００２７】  まず床を拭くあるいはワックスをかけるなどの作業中は図２のように従来のモップと同じように使用する。つまりモップ払拭体を水やワックスでぬらしたあとで床などをモップの柄を握ってモップ払拭体を床やタイルにこすりつけることで汚れを落としたり、ワックスをかけたりする。床の汚れがモップ払拭体について洗わなければならなくなったら、モップ払拭体をバケツにためた水の中に入れる。そして図３のようにモップの先端につけた板とモップ払拭体の糸の束の先端につけた板を前記板にある取っ手を握ってつかみ、貼着状態を解除して広げる。【００２８】  十分洗ったら、図４のようにモップ払拭体を取っ手のついた板を手で回すことによりねじる。このことによりモップ払拭体は回転した板に連動してねじられ、絞られる。このとき手を汚すことはない。【００２９】  十分絞ったら、図５のようにモップ払拭体の両端についた板の一方あるいは両方についた貼着手段により、モップ払拭体を折り曲げながら両端の板を貼り合わせ、使用状態にもどす。これらの動作によりモップ払拭体はループ状となる。【００３０】  このように本発明はモップの先端に板と取っ手をつけ、モップ払拭体を従来より長くすることで、モップ払拭体を手を汚さず洗いそして絞ることができるようにしたものである。
【実施例】
【００３１】実施例１
実施例１を図１に基づいて説明する。モップの柄の先端に板がＴ字状に取り付けられている。その板にはモップ払拭体の糸の束が植毛され下に伸びている。下に伸びた糸の束の先端には更に板が取り付けられている。そして、その板に取っ手がついて、その板とモップの柄の先端につけられた板とを貼着自在とする手段が板に取り付けられている。図１ではモップ払拭体が植毛された板と、取っ手のついた板を貼着する手段が、板の両方にあるように書かれているが、板の一方にあるものでもよい。このような状態のモップ払拭体を折り曲げて、貼着手段により板と板を貼り合わせる。必要なときは取っ手を手で握り、板と板を切り離して、モップ払拭体を広げたり洗ったり絞ったりする。
【考案の効果】
【００３２】  本発明に係る絞り機能と洗浄機能を付加したモップを使用するときは、モップの先端につけた板と、その板につけられた取っ手を握りタオルを絞るように絞るので、モップ絞り器が必要ない。そのためモップをどんな場所でもきっちり絞ることができる。
【００３３】  また板と板につけた取っ手を介してモップ払拭体を手で絞ることと同じであるからモップ払拭体をよく絞ることができる。
【００３４】  直接モップ払拭体に触らないから衛生的である。
【００３５】  取っ手とモップの付け根をもってモップ払拭体を広げたり、折り曲げたり、こすりあわせたりできるのでモップ払拭体をきれいに洗うことができる。
【００３６】  モップ払拭体の両端の板を貼り付けて使用するわけであるから、モップ払拭体を構成する無数の糸はループ状になる。モップ払拭体がループ状になることで、床の小さなゴミなどをひっかけやすくなり、汚れがおとしやすくなる。
【００３７】  また本発明のモップ絞り機能を実現する道具だては、単にモップ払拭体の先端につけた板と前記板に設けた取っ手だけであるから、モップの先端が重くならず、使いやすく邪魔にならない。
【００３８】  更に構造が単純だから壊れにくく、過酷な使用環境にも適用し、長持ちする。
【００３９】構造が単純ということは製造コストがかからないことも意味する。
【００４０】  従来の水拭きモップと形態類似性が高く、複雑な構造でないの利用者が本発明の使用に慣れるのに時間はかからない。
【図面の簡単な説明】
【００４１】
【図１】実施例１を示す正面図である。
【図２】本発明の使用状態を示す斜視図である。
【図３】本発明の使用状態を示す斜視図である。
【図４】本発明の使用状態を示す斜視図である。
【図５】本発明の使用状態を示す斜視図である。
【符号の説明】
【００４２】１  モップの柄
２  モップ先端に取り付けられた板
３  モップ払拭体の糸の束
４  モップ払拭体の先端に取り付けられた板
５  取っ手
６  貼着手段
７  クリップ
８  結合手段の一方
９  結合手段の他方
１０  モップ払拭体の糸の束のたばね部
１１  取っ手がついた板の反対側に取り付けられた板
１２  板の切り欠き部
１３  手
【図１】
0003131383.tif 000003
【図２】
0003131383.tif 000004
【図３】
0003131383.tif 000005
【図４】
0003131383.tif 000006
【図５】
0003131383.tif 000007